(57)【要約】【課題】  紙粉等の異物の影響を受け難く、常時円滑に作動して、下型案内面に沿って落下する製品を製品受け台の積載位置まで正確に案内することを可能にするブランク型及びそれに用いる補助案内部材を提供する。【解決手段】  補助案内部材５１を付設したブランク型ＢＬにおいて、前記補助案内部材５１が、下型案内面２２に、表面を下型案内面２２と同一面に整合させて固定される固定案内部５２と、前記固定案内部５２に、垂下方向及び振り上げ方向に遥動可能に、且つ表面を固定案内部５２表面と同一面に整合させて枢着され、下端と製品受け台３１の非当接時には垂下状態に保持され、また下端と製品受け台３１の当接時には、カム接触により下型２１と製品受け台３１の接近又は離反に連動して、各々振り上げ方向又は垂下方向に遥動させられるようにした可動案内部５６とから構成される。【選択図】  図１
0003148971.tif 000002
【実用新案登録請求の範囲】
【請求項１】
原料シートを抜き型により、製品と屑部が微小部分で接続された状態に打ち抜いてなる型抜きシートを、上型と下型の接離動作により、製品が屑部から切断分離されるように打ち抜くと共に打ち抜かれた製品を下型案内面に沿って略水平姿勢で落下させるようにしたブランク型であって、前記下型に、下型案内面に沿って落下する製品をさらに下方の製品受け台の積載位置まで案内するための補助案内部材を付設したブランク型において、
前記補助案内部材が、
前記下型案内面に、表面を下型案内面と同一面に整合させて固定される固定案内部と、
前記固定案内部に、固定案内部表面に垂直の枢軸を介して、垂下方向及び振り上げ方向に遥動可能に、且つ表面を固定案内部表面と同一面に整合させて枢着され、下端と製品受け台の非当接時には垂下状態に保持され、また下端と製品受け台の当接時には、カム接触により下型と製品受け台の接近又は離反に連動して、製品受け台上を摺動しつつ各々振り上げ方向又は垂下方向に遥動させられるようにした可動案内部とからなることを特徴とするブランク型。
【請求項２】
原料シートを抜き型により、製品と屑部が微小部分で接続された状態に打ち抜いてなる型抜きシートを、上型と下型の接離動作により、製品が屑部から切断分離されるように打ち抜くと共に打ち抜かれた製品を下型案内面に沿って略水平姿勢で落下させるようにしたブランク型の下型に、下型案内面に沿って落下する製品をさらに下方の製品受け台の積載位置まで案内するために付設する補助案内部材において、
前記下型案内面に、表面を下型案内面と同一面に整合させて固定される固定案内部と、
前記固定案内部に、固定案内部表面に垂直の枢軸を介して、垂下方向及び振り上げ方向に遥動可能に、且つ表面を固定案内部表面と同一面に整合させて枢着され、下端と製品受け台の非当接時には垂下状態に保持され、また下端と製品受け台の当接時には、カム接触により下型と製品受け台の接近又は離反に連動して、製品受け台上を摺動しつつ各々振り上げ方向又は垂下方向に遥動させられるようにした可動案内部とからなることを特徴とする補助案内部材。
【考案の詳細な説明】
【技術分野】
【０００１】
本考案は、例えば厚紙等の原料シートから、所要形状の紙器等を製造するべく、その展開寸法の製品（ブランク）を打ち抜くに際して、型抜きのための抜き型の下流側に配置される製品の切断分離のためのブランク型及びそれに用いる補助案内部材に関する。
【背景技術】
【０００２】
前記ブランク型として、原料シートを抜き型により、製品と屑部が微小部分で接続された状態に打ち抜いてなる型抜きシートを、上型と下型の接離動作により、製品が屑部から切断分離されるように打ち抜くと共に打ち抜かれた製品を下型案内面に沿って略水平姿勢で落下させるようにしたものが周知である（特許文献１及び２）。
【０００３】
前記ブランク型における下型案内面に沿って略水平姿勢で落下する製品は、通常、下方の製品受け台の積載位置上に順次積載され、下流の加工工程へと供給される。そして、製品を前記下流の加工工程へと順次円滑に供給するためには、前記のように下型案内面に沿って落下する製品が製品受け台の積載位置上に正確に積載されることが必要とされる。
【０００４】
前記問題を解消するべく、下型案内面に沿って落下する製品をさらに下方の製品受け台の積載位置まで案内するために、前記下型に補助案内部材を付設することが知られ、該補助案内部材として、案内面を下型案内面に沿わせるようにして固定される案内溝付の固定案内部片と、案内面を前記固定案内部片の案内面と同レベルで前記案内溝に滑合して自重で垂下自在にされる可動案内部片とからなるものが報告されている（特許文献２）。
【０００５】
しかしながら、固定案内部片の案内溝に可動案内部片を垂下自在に滑合させた前記補助案内部材の構造には、該案内溝内への紙粉等の異物の混入、沈着により可動案内部片の円滑な滑動が阻害され易い等の問題があった。
【特許文献１】特開２００２−１０３４７９号公報
【特許文献２】特開２００４−１０６１０６号公報
【考案の開示】
【考案が解決しようとする課題】
【０００６】
本考案の課題は、従来技術の前記問題点に鑑み、紙粉等の異物の影響を受け難く、常時円滑に作動して、下型案内面に沿って落下する製品を製品受け台の積載位置まで正確に案内することを可能にするブランク型及びそれに用いる補助案内部材を提供することにある。
【課題を解決するための手段】
【０００７】
本考案に係るブランク型は、原料シートを抜き型により、製品と屑部が微小部分で接続された状態に打ち抜いてなる型抜きシートを、上型と下型の接離動作により、製品が屑部から切断分離されるように打ち抜くと共に打ち抜かれた製品を下型案内面に沿って略水平姿勢で落下させるようにしたブランク型であって、前記下型に、下型案内面に沿って落下する製品をさらに下方の製品受け台の積載位置まで案内するための補助案内部材を付設したブランク型において、
前記補助案内部材が、
前記下型案内面に、表面を下型案内面と同一面に整合させて固定される固定案内部と、
前記固定案内部に、固定案内部表面に垂直の枢軸を介して、垂下方向及び振り上げ方向に遥動可能に、且つ表面を固定案内部表面と同一面に整合させて枢着され、下端と製品受け台の非当接時には垂下状態に保持され、また下端と製品受け台の当接時には、カム接触により下型と製品受け台の接近又は離反に連動して、製品受け台上を摺動しつつ各々振り上げ方向又は垂下方向に遥動させられるようにした可動案内部とからなることを特徴としている。
【０００８】
また、本考案に係る補助案内部材は、原料シートを抜き型により、製品と屑部が微小部分で接続された状態に打ち抜いてなる型抜きシートを、上型と下型の接離動作により、製品が屑部から切断分離されるように打ち抜くと共に打ち抜かれた製品を下型案内面に沿って略水平姿勢で落下させるようにしたブランク型の下型に、下型案内面に沿って落下する製品をさらに下方の製品受け台の積載位置まで案内するために付設する補助案内部材において、
前記下型案内面に、表面を下型案内面と同一面に整合させて固定される固定案内部と、
前記固定案内部に、固定案内部表面に垂直の枢軸を介して、垂下方向及び振り上げ方向に遥動可能に、且つ表面を固定案内部表面と同一面に整合させて枢着され、下端と製品受け台の非当接時には垂下状態に保持され、また下端と製品受け台の当接時には、カム接触により下型と製品受け台の接近又は離反に連動して、製品受け台上を摺動しつつ各々振り上げ方向又は垂下方向に遥動させられるようにした可動案内部とからなることを特徴としている。
【０００９】
前記構成において、原料シートは、上流側に配置された抜き型により、製品と屑部が微小部分で接続された状態に打ち抜かれ、得られた型抜きシートは、下流側に配置されたブランク型における上型と下型との間の所定位置に搬送される。前記ブランク型における上型と下型の接離動作により、前記型抜きシートにおける製品が屑部を下型上面に残留固定させた状態で切断分離されるように打ち抜かれる。型抜きシートから打ち抜かれた製品は、下型案内面に沿って略水平姿勢で落下し、ブランク型の下型下方に昇降可能に配置された製品受け台の積載位置上に順次積載され、前記製品受け台は、それへの製品の落下、積載に応じて、従って上型と下型の接離動作に連動して、一定の積載量に達するまで漸次降下させられる。
【００１０】
しかして、ブランク型の下型には補助案内部材が付設されているので、下型案内面に沿って略水平姿勢で落下する製品は、該補助案内部材の固定案内部及びそれに枢着された可動案内部に沿って略水平姿勢を保持しつつさらに落下し、製品受け台の積載位置上へと正確に案内される。
【００１１】
なお、前記上型と下型の接離動作やそれに連動した製品受け台の降下運動等により、下型と製品受け台の距離は変動するが、前記可動案内部は、下端と製品受け台の非当接時には垂下状態に保持されて、最長の案内路を確保し、また下端と製品受け台の当接時には、カム接触により下型と製品受け台の接近又は離反に連動して、製品受け台上を摺動しつつ各々振り上げ方向又は垂下方向に遥動させられて、下型と製品受け台の接離運動と干渉することなしに所要長さの案内路を与えることができる。
【００１２】
前記可動案内部は、下端と製品受け台の当接時には、カム接触により下型と製品受け台の接近又は離反に連動して、製品受け台上を摺動しつつ各々振り上げ方向又は垂下方向に遥動させられるように、例えば幅方向に対して直線状又は円弧状に傾斜した下端形状を呈していてもよい。また、可動案内部が固定案内部に対して、所要の振り上げ方向及び垂下方向を越えて過剰に遥動しないように、両部材間に遥動範囲を制限する停止手段が設けられてもよい。
【考案の効果】
【００１３】
請求項１に係る発明によれば、紙粉等の異物の影響を受け難く、常時円滑に作動して、下型案内面に沿って落下する製品を製品受け台の積載位置まで正確に案内することを可能にするブランク型を提供することができる。
【００１４】
また、請求項２に係る発明によれば、ブランク型の下型に付設され、それによって紙粉等の異物の影響を受け難く、常時円滑に作動して、下型案内面に沿って落下する製品を製品受け台の積載位置まで正確に案内するブランク型とすることが可能な補助案内部材を提供することができる。
【考案を実施するための最良の形態】
【００１５】
次に、本考案に係るブランク型の実施形態を図面に基づいて具体的に説明する。図１は、本考案に係るブランク型の一実施形態の縦断面図である。図２は、図１に示すブランク型に用いられた補助案内部材であって、可動案内部が垂下状態にある補助案内部材を示し、（Ａ）は正面図、（Ｂ）は固定案内部の分岐部前面側を一部破断して枢着部分を露出させた正面図、（Ｃ）は枢着部分を通る縦断面図である。図３は、図２に示す補助案内部材であって、可動案内部が９０度の振り上げ状態にある補助案内部材を示し、（Ａ）は正面図、（Ｂ）は固定案内部の片側案内板を一部破断して枢着部分を露出させた正面図である。
【００１６】
図１において、抜き型（図示省略）の下流側にブランク型ＢＬが配置され、該ブランク型ＢＬは、上型１１と、該上型１１と対向して昇降可能に配置された下型２１とからなり、下型２１下方には製品受け台３１が昇降可能に配置されている。原料シート（図示省略）は、上流側に配置された抜き型により、製品４２と屑部４３が微小部分で接続された状態に打ち抜かれ、得られた型抜きシート４１は、下流側に配置されたブランク型ＢＬの下型２１上に順次間欠的に搬送され、上型１１と下型２１の接離動作により、製品４２が屑部４３から切断分離されるように打ち抜かれ、打ち抜かれた製品４２は、下型２１の下型案内面２２に沿って略水平姿勢で落下させられると共に製品受け台３１上に順次積載される。
【００１７】
前記ブランク型ＢＬの上型１１の構成において、基板１２に、空気抜き孔１４を備えた押し抜き部材１３が、型抜きシート４１における製品４２の打ち抜き位置及び輪郭に対応して垂設されると共に、押さえ部材１５が、型抜きシート４１における屑部４３の押え位置及び輪郭に対応して、スプリング１６を介して上下に伸縮可能に垂設されている。
【００１８】
前記ブランク型ＢＬの下型２１の構成において、型板２３に、開口部２４が、上型１１の押し抜き部材１３と対向して、打ち抜き後に落下する製品４２の略水平姿勢での通過可能に穿設され、開口部２４内周の下型案内面２２に、補助案内部材５１が、落下する製品４２を略水平姿勢で製品受け台３１の積載位置まで案内可能に付設されている。
【００１９】
前記補助案内部材５１は、図2及び図3に詳細に示すように、互いに枢着された平坦、平滑なプラスチック製の長方形板状の固定案内部５２及び可動案内部５６から構成されている。前記固定案内部５２は、上端の背面側に、ねじ孔５３ａを備えたＬ字状凸縁部５３を有すると共に下部に間隙を介して分岐部５４を有し、分岐部５４下端は円弧状に形成され、分岐部５４間隙の天井面に鈍角の三角形状傾斜面５５ａ、５５ｂが下方に突設されている。また、前記可動案内部５６は、上部に前記固定案内部５２の分岐部５４間隙に摺嵌可能な肉薄の装入部５７を有し、装入部５７の頂端面に鈍角の三角形状傾斜面５８ａ、５８ｂが上方に突設され、可動案内部５６下端が幅方向に対して円弧状に傾斜した形状に形成されている。
【００２０】
前記可動案内部５６の装入部５７は、前記固定案内部５２の分岐部５４間隙に摺嵌されると共に分岐部５４の円弧状下端の円弧中心を通る枢軸５９を介して該分岐部５４内面に遥動可能に枢着されている。可動案内部５６が垂下状態にある時は、図２に示すように、可動案内部５６の装入部５７の頂端面における一方側の傾斜面５８ａが、固定案内部５２の分岐部５４間隙の天井面における一方側の傾斜面５５ａに当接され、また可動案内部５６が９０度の振り上げ状態にあるときは、図３に示すように、可動案内部５６の装入部５７の頂端面における他方側の傾斜面５８ｂが固定案内部５２の分岐部５４間隙の天井面における他方側の傾斜面５５ｂに当接され、それらによって可動案内部５６は、固定案内部５２に対して垂下方向と９０度の振り上げ方向の間で遥動自在とされ、また固定案内部５２と可動案内部５６は、それらの遥動角度にかかわらず、それらの表面及び背面が各々同一面となるように整合されている。
【００２１】
下型２１における開口部２４内周の下型案内面２２に前記補助案内部材５１を付設するに際して、図１に示すように、下型案内面２２に穿設された取り付け溝２５に固定案内部５２がその背面側から嵌入され、固定案内部５２の凸縁部５３と取り付け溝２５の上端段差部２６が嵌合されると共に凸縁部５３のねじ孔５３ａを介してねじ２７で固定され、また前記取り付け溝２５は、垂下方向と９０度の振り上げ方向の間で遥動し得る可動案内部５６が下型案内面２２と干渉しないように拡幅され、補助案内部材５１の付設後における下型案内面２２、固定案内部５２の表面及び可動案内部５６の表面は全て同一面に整合されている。
【００２２】
なお、下型案内面２２への固定案内部５２の固定手段は、前記凸縁部５３と取り付け溝２５の上端段差部２６との嵌合及びネジ止めによるものに代えて、例えば凸縁部のない固定案内部５２を上端段差部のない取り付け溝２５に、下型案内面２２に垂直な方向のネジ止めや接着剤等により固定するものであってもよい。
【図面の簡単な説明】
【００２３】
【図１】本考案に係るブランク型の一実施形態の縦断面図である。
【図２】図１に示すブランク型に用いられた補助案内部材であって、可動案内部が垂下状態にある補助案内部材を示し、（Ａ）は正面図、（Ｂ）は固定案内部の分岐部前面側を一部破断して枢着部分を露出させた正面図、（Ｃ）は枢着部分を通る縦断面図である。
【図３】図２に示す補助案内部材であって、可動案内部が９０度の振り上げ状態にある補助案内部材を示し、（Ａ）は正面図、（Ｂ）は固定案内部の片側案内板を一部破断して枢着部分を露出させた正面図である。
【符号の説明】
【００２４】
ＢＬ  ブランク型
１１  上型
１２  基板
１３  押し抜き部材
１４  空気抜き孔
１５  押さえ部材
１６  スプリング
２１  下型
２２  下型案内面
２３  型板
２４  開口部
２５  取り付け溝
２６  段差部
２７  ねじ
３１  製品受け台
４１  型抜きシート
４２  製品
４３  屑部
５１  補助案内部材
５２  固定案内部
５３  凸縁部
５３ａ  ねじ孔
５４  分岐部
５５ａ、５５ｂ  傾斜面
５６  可動案内部
５７  装入部
５８ａ、５８ｂ  傾斜面
５９  枢軸
【図１】
0003148971.tif 000003
【図２】
0003148971.tif 000004
【図３】
0003148971.tif 000005